(57)【要約】【課題】  病院・医師を検索でき、検索した病院・医師に予約ができる医療検索プログラム及びそのシステムを提供する。【解決手段】  ステップＳＴ２２で入力された情報を取得し、これを検索条件として、病院・医師管理テーブル４１を検索して、病院・医師を抽出する。ステップＳＴ２３で検索した病院・医師に関する情報を検索者端末７の画面に表示する処理を行う（ＳＴ２４）。検索者端末７の画面に表示した病院・医師の予約要求を、検索者端末７から入力すると、入力した診察希望時間の予約要求を、病院端末３又は医師端末５に送信する（ＳＴ２６）。【選択図】図７
2018112941.tif 000002
【特許請求の範囲】
【請求項１】
病院又は医師の診察地の位置及び診療科目を示す病院・医師管理情報をデータベースに登録する第1の工程と、
前記病院又は医師の診察可能時間又は予約状況を示す予約管理情報を前記データベースに登録する第２の工程と、
検索者から取得した当該検索者が指定する位置、診察対象の属性及び診察希望時間を示す検索者情報を含む検索要求を入力する第３の工程と、
前記前記病院・医師管理情報と、前記予約管理情報とを基に、前記検索者情報が示す条件を満たす前記病院又は前記医師を特定し、当該特定した情報を表示する処理を行う第４の工程と
をコンピュータに実行させる医療検索プログラム。
【請求項２】
前記第４の工程で前記表示した前記病院又は前記医師のうち、前記検索者が選択した前記病院又は前記医師に、前記診察希望時間を基にした診察予約処理を行う第５の工程
を前記コンピュータにさらに実行させる請求項１に記載の医療検索プログラム。
【請求項３】
前記病院又は医師の端末装置から前記予約管理情報の予約管理情報更新要求を入力すると、当該予約管理情報更新要求を基に、前記予約管理情報を更新する第６の工程
を前記コンピュータにさらに実行させる請求項１又は請求項２に記載の医療検索プログラム。
【請求項４】
前記第４の工程は、前記特定した前記病院又は前記医師の前記位置情報と前記検索要求で指定された位置情報とを基に、前記指定された位置から距離が近い順又は移動時間が短い順に前記病院又は前記医師の情報を表示する
請求項１〜３のいずれかに記載の医療検索プログラム。
【請求項５】
前記病院又は医師の評価情報を、診療を受けた前記検索者から入力すると、当該評価情報を前記データベースに登録する第７の工程
を有する請求項１〜4のいずれかに記載の医療検索プログラム。
【請求項６】
前記診察予約処理をした前記病院又は前記医師からの問診情報入力欄を表示し、前記問診情報入力欄に前記検索者が入力した問診情報を前記病院又は前記医師の端末装置に送信する第８の工程
をさらに有する請求項３〜５のいずれかに記載の医療検索プログラム。
【請求項７】
病院又は医師の診察地の位置及び診療科目を示す病院・医師管理情報と、前記病院又は医師の診察可能時間又は予約状況を示す予約管理情報を記憶するデータベースと、
検索者から取得した当該検索者が指定する位置、診察対象の属性及び診察希望時間を示す検索者情報を含む検索要求を入力する通信手段と、
前記前記病院・医師管理情報と、前記予約管理情報とを基に、前記検索者情報が示す条件を満たす前記病院又は前記医師を特定し、当該特定した情報を表示する処理を行う処理手段と
を有する医療検索システム。
【発明の詳細な説明】
【技術分野】
【０００１】
本発明は、病院や医師を効率的に検索可能にするために用いられる医療検索プログラム及びそのシステムに関する。
【背景技術】
【０００２】
従来から、指定位置情報と診療科目が入力されると、指定位置から近い位置にある病院の検索して表示するシステムがある。
【発明の概要】
【発明が解決しようとする課題】
【０００３】
しかしながら、従来では、指定位置から近い病院の検索結果は得られるが、その病院への診察予約を行うことができない。
また、従来では、登録時に登録した診察時間を基に、希望する診察時間に利用可能な病院を検索できるが、病院や医師が診察可能あるいは予約可能な時間を適宜更新することは難しい等の問題がある。
また、検索結果は、病院単位であり、診察可能な医師を検索することはできない。
【０００４】
本発明はかかる事情に鑑みてなされたものであり、その目的は、病院・医師を検索でき、検索した病院・医師に予約ができる医療検索プログラム及びそのシステムを提供することにある。
また、本発明の目的は、病院・医師が、予め登録した診察時間を、適宜簡単な方法で更新できる医療検索プログラムを提供することにある。
また、本発明の目的は、医師単位に検索ができる医療検索プログラムを提供することにある。
【課題を解決するための手段】
【０００５】
上述した従来技術の問題点を解決し、上述した目的を達成するために、本発明の医療検索プログラムは、病院又は医師の診察地の位置及び診療科目を示す病院・医師管理情報をデータベースに登録する第1の工程と、前記病院又は医師の診察可能時間又は予約状況を示す予約管理情報を前記データベースに登録する第２の工程と、検索者から取得した当該検索者が指定する位置、診察対象の属性及び診察希望時間を示す検索者情報を含む検索要求を入力する第３の工程と、前記前記病院・医師管理情報と、前記予約管理情報とを基に、前記検索者情報が示す条件を満たす前記病院又は前記医師を特定し、当該特定した情報を表示する処理を行う第４の工程とをコンピュータに実行させる。
【０００６】
好適には、前記第４の工程で前記表示した前記病院又は前記医師のうち、前記検索者が選択した前記病院又は前記医師に、前記診察希望時間を基にした診察予約処理を行う第５の工程を前記コンピュータにさらに実行させる。
【０００７】
好適には、前記病院又は医師の端末装置から前記予約管理情報の予約管理情報更新要求を入力すると、当該予約管理情報更新要求を基に、前記予約管理情報を更新する第６の工程を前記コンピュータにさらに実行させる。
【０００８】
好適には、前記第４の工程は、前記特定した前記病院又は前記医師の前記位置情報と前記検索要求で指定された位置情報とを基に、前記指定された位置から距離が近い順又は移動時間が短い順に前記病院又は前記医師の情報を表示する。
【０００９】
好適には、前記病院又は医師の評価情報を、診療を受けた前記検索者から入力すると、当該評価情報を前記データベースに登録する第７の工程を有する。
【００１０】
好適には、前記診察予約処理をした前記病院又は前記医師からの問診情報入力欄を表示し、前記問診情報入力欄に前記検索者が入力した問診情報を前記病院又は前記医師の端末装置に送信する第８の工程をさらに有する。
【００１１】
また、本発明の医療検索システムは、病院又は医師の診察地の位置及び診療科目を示す病院・医師管理情報と、前記病院又は医師の診察可能時間又は予約状況を示す予約管理情報を記憶するデータベースと、検索者から取得した当該検索者が指定する位置、診察対象の属性及び診察希望時間を示す検索者情報を含む検索要求を入力する通信手段と、前記前記病院・医師管理情報と、前記予約管理情報とを基に、前記検索者情報が示す条件を満たす前記病院又は前記医師を特定し、当該特定した情報を表示する処理を行う処理手段とを有する。
【発明の効果】
【００１２】
本発明によれば、病院・医師を検索でき、検索した病院・医師に予約ができる医療検索プログラム及びそのシステムを提供することができる。
また、本発明によれば、病院・医師が、予め登録した診察時間を、適宜簡単な方法で更新できる医療検索プログラムを提供することができる。
また、本発明によれば、医師単位に検索ができる医療検索プログラムを提供することができる。
【図面の簡単な説明】
【００１３】
【図１】図１は、本発明の実施形態に係る医療検索システムの構成図である。
【図２】図２は、図１に示す医療検索システムの構成である。
【図３】図３は、図２に示す病院・医師管理テーブルのフォーマットを説明するための図である。
【図４】図４は、図２に示す予約管理テーブルのフォーマットを説明するための図である。
【図５】図５は、図２に示す検索者管理テーブルのフォーマットを説明するための図である。
【図６】図６は、図２に示す評価管理テーブルのフォーマットを説明するための図である。
【図７】図７は、病院端末及び医師端末からのアクセスに応じて医療検索システムが病院・医師管理テーブル及び予約管理テーブルを作成あるいは更新する処理を説明するためのフローチャートである。
【図８】図８は、検索者から病院・医師検索要求を入力した場合の医療検索システムの処理を説明するためのフローチャートである。
【発明を実施するための形態】
【００１４】
以下、本発明の実施形態に係る医療検索プログラム及びそのシステムについて説明する。
図１は、本発明の実施形態に係る医療検索システム１の構成図である。
図１に示すように、医療検索システム１は、例えば、インタネット等の通信網９を介して、登録した病院が使用する病院端末３、登録した医師が使用する医師端末５、病院又は医師を検索する検索者が使用する検索者端末７と通信を行う。
医療検索システム１への登録は、病院及び医師のいずれでも可能である。
【００１５】
病院端末３、医師端末５及び検索者端末７は、パーソナルコンピュータや携帯通信機器である。
【００１６】
図２は、図１に示す医療検索システム１の構成である。
図２に示すように、医療検索システム１は、例えば、通信部２１、メモリ２３及び処理部２５を少なくとも備え、これらがバス３０を介して接続されている。
【００１７】
通信部２１は、病院端末３、医師端末５及び検索者端末７と通信してデータ（情報）及び要求の送受信をする。
【００１８】
メモリ２３は、処理部２５の処理に用いられるデータ及び医療検索プログラムＰＲＧを記憶する。
図２に示すように、メモリ２３は、例えば、病院・医師管理テーブル４１、予約管理テーブル４２、検索者管理テーブル４３及び評価管理テーブル４４を記憶する。
【００１９】
図３は、図２に示す病院・医師管理テーブル４１のフォーマットを説明するための図である。
図３に示すように、病院・医師管理テーブル４１は、病院ＩＤ、医師ＩＤ，病院名、医師名、住所、連絡先、最寄駅名、駅から病院までの距離、診療科目等の項目がある。
病院・医師管理テーブル４１は、病院又は医師が作成して医療検索システム１に登録する。
【００２０】
図４は、図２に示す予約管理テーブル４２のフォーマットを説明するための図である。 
図４に示すように、予約管理テーブル４２は、病院ＩＤ、医師ＩＤ，診療科目、の診察可能時間又は予約状況等の項目がある。
予約管理テーブル４２は、既に登録した病院又は医師が、予約状況が変更する度に、病院端末３や医師端末５から医療検索システム１に更新要求を出して更新する。
【００２１】
図５は、図２に示す検索者管理テーブル４３のフォーマットを説明するための図である。
検索者管理テーブル４３は、例えば、検索者ＩＤ、年齢、性別、連絡先、利用履歴等の項目を有する。
検索者管理テーブル４３は、検索者が医療検索システム１の利用時に医療検索システム１にアクセスして入力した情報を基に作成される。
【００２２】
図６は、図２に示す評価管理テーブル４４のフォーマットを説明するための図である。
図６に示すように、評価管理テーブル４４は、評価対象の病院ＩＤ、医師ＩＤ，評価内容（例えば、ランクを示す数字等）、評価者ＩＤ（検索者ＩＤ）等の項目がある。
評価管理テーブル４４は、診察を受けた検索者からの評価要求に応じて更新される。
【００２３】
処理部２５は、メモリ２３から読み出した医療検索プログラムＰＲＧを実行し、本実施形態で説明する医療検索システム１の処理を実現する。
【００２４】
以下、医療検索システム１の機能をフローチャートを用いて説明する。
＜登録機能＞
図７は、病院端末３及び医師端末５からのアクセスに応じて医療検索システム１が病院・医師管理テーブル４１及び予約管理テーブル４２を作成あるいは更新する処理を説明するためのフローチャートである。
以下、各ステップを説明する。以下のステップは医療検索システム１の処理部２５が、医療検索プログラムＰＲＧを基に実行する。
【００２５】
ステップＳＴ１１：
医療検索システム１は、病院端末３又は医師端末５から病院・医師登録要求を受けると、ステップＳＴ１２に進み、そうでない場合はステップＳＴ１３に進む。
【００２６】
ステップＳＴ１２：
図３に示す病院・医師管理テーブル４１の項目の入力画面を当該端末に表示させ、各項目が入力されると、それを基に病院・医師管理テーブル４１を作成する。
【００２７】
ステップＳＴ１３：
医療検索システム１は、病院端末３又は医師端末５から予約管理情報更新（登録）要求を受けると、ステップＳＴ１４に進む。
【００２８】
ステップＳＴ１４：
医療検索システム１は、予約管理情報更新（登録）画面を端末に表示させ、更新（登録）情報を入力させる。そして、更新（登録）情報が入力されると、それを基に予約管理テーブル４２を更新（登録）する。
【００２９】
＜検索機能＞
図８は、検索者から病院・医師検索要求を入力した場合の医療検索システム１の処理を説明するためのフローチャートである。
以下、各ステップを説明する。以下のステップは医療検索システム１の処理部２５が、医療検索プログラムＰＲＧの記述を基に実行する。
【００３０】
ステップＳＴ２１：
医療検索システム１は、検索者端末７から病院・医師検索要求を受けると、ステップＳＴ２２に進む。
【００３１】
ステップＳＴ２２：
医療検索システム１は、検索者端末７に検索画面を表示する。当該検索画面には、例えば、指定位置情報（最寄駅情報）と、診療科目あるいは症状を入力する入力欄が設けられている。
【００３２】
ステップＳＴ２３：
医療検索システム１は、ステップＳＴ２２で入力された情報を取得し、これを検索条件として、病院・医師管理テーブル４１を検索して、病院・医師を抽出する。
具体的には、医療検索システム１は、当該取得した情報（指定位置情報及び診療科目）に対応した病院・医師を、病院・医師管理テーブル４１から検索して抽出する。
このとき、検索画面に診察希望時間が入力された場合は、医療検索システム１は、診察時間を考慮して病院・医師の検索を行う。
また、医療検索システム１は、診察希望時間だけでなく、予約管理テーブル４２を基に、診察希望時間に予可能な病院・医師を抽出するようにしてもよい。
【００３３】
ステップＳＴ２４：
医療検索システム１は、ステップＳＴ２３で検索した病院・医師に関する情報を検索者端末７の画面に表示する処理を行う。
【００３４】
ステップＳＴ２５：
医療検索システム１は、検索者端末７の画面に表示した病院・医師の予約要求を、検索者端末７から入力すると、ステップＳＴ２６に進む。
【００３５】
ステップＳＴ２６：
医療検索システム１は、検索者端末７から入力した診察希望時間の予約要求を、病院端末３又は医師端末５に送信する。
【００３６】
ステップＳＴ２７：
医療検索システム１は、ステップＳＴ２６の予約が完了すると、検索者端末７に問診入力画面を表示する。検索者端末７は、問診入力画面に入力された問診項目の情報を医療検索システム１に送信する。
医療検索システム１は、受信した問診項目の情報を、病院端末３又は医師端末５に送信する。
【００３７】
以上説明したように、医療検索システム１によれば、図７に示す検索条件に合った病院・医師の情報を表示するだけなく、その予約処理を行うことができる（ステップＳＴ２６）。
【００３８】
また、医療検索システム１によれば、図７に示すように、病院・医師は、予約状況を適宜更新することができ（ステップＳＴ１３、ＳＴ１４）、予め登録した固定の診察時間以外の時間についても自由なタイミングで診察時間を簡単に設定できる。これにより、病院・医師は、診療機会を増やすことができる。
【００３９】
また、医療検索システム１によれば、病院単位ではなく、医師単位で検索ができる。
【００４０】
また、医療検索システム１によれば、病院・医師の診療を予約した後に、問診情報を検索者（患者）に入力してもらい、それを病院・医師に診察前に送信する。そのため、病院・医師は必要な準備を事前に行うことができ、診察効率を高めることができる。
【００４１】
すなわち、医療検索システム１によれば、医療機関に勤務している医師が、自分のプロフィールや空き時間などをサイト上に登録、表示し、患者からの予約を直接受け付けることができる。
また、医療検索システム１によれば、診療を希望している患者が、サイト上で、自分の都合の良い時間帯で診察を受けたい医師を検索し、医師への直接予約を行うことができる。
【００４２】
また、医療検索システム１によれば、医師同士が、本サイトを使用することにより他科の空いているドクターへ患者をスムーズに紹介ことができる。
医療機関に勤務している医師・歯科医師は、サイト上の直接集患で自分の時間を無駄にせず診察にかける時間を増やし、経済的なメリットと経験値の向上を得ることができる。
患者は、サイト上で診察を受けたい医師を検索し、医師への直接予約を行うことができるため、クリニックでの待ち時間を減らすことができる。
【００４３】
また、医療検索システム１によれば、検索者端末７が受信した病院・医師の評価を医療検索システム１の図５に示す評価管理テーブル４４に登録することで、患者から病院・医師への直接フィードバックやアクセスランキングなどで医師の評価が可能となる。
【００４４】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００４５】
例えば、上述した実施形態では、病院・医師の検索を例示したが、歯科医院・歯科医師の検索にも同様に適用可能である。
【００４６】
上述した実施形態では、検索された病院を最寄駅から近い順に表示する場合を例示したが、指定位置から病院迄の移動時間を計算し、その移動時間が短い順に表示するようにしてもよい。
【００４７】
また、上述した実施形態では、診療科目を基に検索を行う場合を例示したが、症状と診療科目を事前に対応付けておくことで、症状を基に病院・医師を検索するようにしてもよい。
【産業上の利用可能性】
【００４８】
本発明は、病院・医師を検索するシステムに適用可能である。
【符号の説明】
【００４９】
１…医療検索システム
３…病院端末
５…医師端末
７…検索者端末
２１…通信部
２４…メモリ
２５…処理部
４１…病院・医師管理テーブル
４２…予約管理テーブル
４３…検索者管理テーブル
４４…評価管理テーブル
【図１】
2018112941.tif 000003
【図２】
2018112941.tif 000004
【図３】
2018112941.tif 000005
【図４】
2018112941.tif 000006
【図５】
2018112941.tif 000007
【図６】
2018112941.tif 000008
【図７】
2018112941.tif 000009
【図８】
2018112941.tif 000010